(57)【特許請求の範囲】
【請求項１】
冷却装置本体の一部をなす壁部と、
前記壁部を外側から覆う外装部材と、
前記壁部の内側に配置されている冷却対象物と、
冷却のための気流を発生させる気流発生装置と、
電装部品が装着された基板と、
を有し、
前記気流発生装置は、前記壁部の内側の面に装着されており、
前記壁部は前記気流発生装置が装着された部位が閉塞されており、
前記基板は、少なくとも一部が、前記外装部材と前記壁部との間であって、前記壁部に対して前記気流発生装置に対向する部位の外側の面に装着されており、
外側から、前記外装部材、前記基板、前記壁部、前記気流発生装置、前記冷却対象物の順に配置されている冷却装置。
【請求項２】
前記気流発生装置は、
他の部材に駆動を伝達するための回転体と、
前記回転体を回転させる磁界を発生させる磁界発生部と、
回転により気流を発生させ、発生させた気流により少なくとも前記磁界発生部を冷却する気流発生体と、
を有する請求項１記載の冷却装置。
【請求項３】
前記冷却対象物が放射する熱を遮るように前記気流発生装置を囲う囲部材をさらに有し、
前記囲部材は、前記気流発生装置側から前記冷却対象物に向けて気流を排出するための排出孔が形成されていて、前記気流発生装置から前記冷却対象物へと気流を案内する案内部の少なくとも一部として用いられている請求項１又は２記載の冷却装置。
【請求項４】
画像形成装置本体の一部をなす壁部と、
前記壁部を外側から覆う外装部材と、
画像を形成する画像形成部と、
前記壁部の内側に配置されていて、前記画像形成部が形成した画像を少なくとも熱を用いて記録媒体に定着する定着装置と、
少なくとも前記定着装置を冷却するための気流を発生させる気流発生装置と、
電装部品が装着された基板と、
を有し、
前記気流発生装置は、前記壁部の内側の面に装着されており、
前記壁部は前記気流発生装置が装着された部位が閉塞されており、
前記基板は、少なくとも一部が、前記外装部材と前記壁部との間であって、前記壁部に対して前記気流発生装置に対向する部位の外側の面に装着されており、
外側から、前記外装部材、前記基板、前記壁部、前記気流発生装置、前記定着装置の順に配置されている画像形成装置。 
【発明の詳細な説明】
【技術分野】
【０００１】
本発明は、冷却装置及び画像形成装置に関する。
【背景技術】
【０００２】
特許文献１には、記録媒体に画像を形成するための作像部を収容する筐体と、上記筐体の一の側壁部を該筐体の外方側から覆うとともに排気口が形成された外装カバーと、上記筐体の一の側壁部と上記外装カバーとの間に形成された機器収容空間と、上記一の側壁部に形成され、上記筐体内と上記機器収容空間とを連通させる開口部と、上記機器収容空間内に配置され、上記開口部を介して上記筐体内の空気を吸い込んで、該吸い込んだ空気を上記外装カバーに形成された排気口から排出する排気ファンと、上記機器収容空間内に配置された発熱機器と、上記排気ファンの空気吐出口と上記外装カバーに形成された排気口とを連結し、上記発熱機器側の壁部に内外を連通する連通部が形成されているダクト部と、を備え、上記作像部は、周面に静電潜像を担持する像担持体と、該像担持体の周面の静電潜像をトナー像として現像する現像部と、該像担持体の表面のトナー像を記録媒体に転写させる転写部と、上記記録媒体に転写されたトナー像を熱定着させる定着器とを備え、上記排気ファンは、上記一の側壁部における上記定着器に隣接する部分に取付けられており、上記発熱機器は複数設けられており、上記複数の発熱機器のうちの一つは、上記像担持体を駆動するためのモーターであり、上記モーターは、上記一の側壁部を貫通して上記像担持体に回転一体に連結された出力軸と、上記機器収容空間内において該出力軸に回転一体に連結された円筒状のローターと、該ローターの周面に形成された羽根部と、を有している、画像形成装置が記載されている。
【０００３】
特許文献２には、像形成ユニットと、前記像形成ユニットによって形成される可視像を記録媒体に転写する転写装置と、前記転写される可視像を記録媒体に定着させる定着装置と、前記像形成ユニットまたは／および前記定着装置を駆動するための駆動部と、を備える画像形成装置であって、発熱部を構成する前記定着装置および駆動部の近傍に気流を生起させて前記発熱部から発生する熱を排出させるように、延長方向一端が前記発熱部の近傍で該排熱部を支持する支持壁内において開口し、延長方向他端は、回収された熱気を排出もしくは冷却用空気を吸気するための強制吸排気手段に接続されるように配置されている排熱ダクト、を備え、前記排熱ダクトの延長方向一端の開口が連結されている前記支持壁の内部には、前記定着装置の長手方向に沿って、前記像形成ユニットと前記定着装置の間を仕切る堰板が設けられ、該堰板と前記定着装置自身の機構部とにより構成される空間を、前記排熱ダクトの延長方向一端が連結されている開口に向けて熱気を整流するための整流空間として構成したことを特徴とする画像形成装置が記載されている。
【０００４】
特許文献３には、加熱定着器を用いた電子写真装置において、本体の構造体を利用し、記録紙の搬送方向と交わる方向に、加熱定着器を配設した空間から実質的に隔離される風路を構成するダクトと、このダクトの空気取り込み側に設けたファン手段と、このダクト内に配設した電装部品と、同ダクトの排出側に配設した高温部材と、を有することを特徴とする画像形成装置が記載されている。
【先行技術文献】
【特許文献】
【０００５】
【特許文献１】特許第５９５１１８号公報
【特許文献２】特許第４６０８３３２号公報
【特許文献３】特開平５−２７５３１号公報
【発明の概要】
【発明が解決しようとする課題】
【０００６】
冷却装置本体内に活用されていない空間があると、冷却装置が大型となりやすい。このため、冷却装置においては、冷却装置本体内の空間を有効に活用することが望ましい。同様に、画像形成装置においては、画像形成装置本体内の空間を有効に活用することが望ましい。
【０００７】
本発明は、壁部の外側に気流発生装置を装着する技術と比較して、装置内の空間を有効に活用することができる冷却装置及び画像形成装置を提供することを目的とする。
【課題を解決するための手段】
【０００８】
請求項１に係る本発明は、
冷却装置本体の一部をなす壁部と、
前記壁部を外側から覆う外装部材と、
前記壁部の内側に配置されている冷却対象物と、
冷却のための気流を発生させる気流発生装置と、
電装部品が装着された基板と、
を有し、
前記気流発生装置は、前記壁部の内側の面に装着されており、
前記壁部は前記気流発生装置が装着された部位が閉塞されており、
前記基板は、少なくとも一部が、前記外装部材と前記壁部との間であって、前記壁部に対して前記気流発生装置に対向する部位の外側の面に装着されており、
外側から、前記外装部材、前記基板、前記壁部、前記気流発生装置、前記冷却対象物の順に配置されている冷却装置である。
【０００９】
請求項２に係る本発明は、前記気流発生装置は、他の部材に駆動を伝達するための回転体と、前記回転体を回転させる磁界を発生させる磁界発生部と、回転により気流を発生させ、発生させた気流により少なくとも前記磁界発生部を冷却する気流発生体と、を有する請求項１記載の冷却装置である。
【００１０】
請求項３に係る本発明は、前記冷却対象物が放射する熱を遮るように前記気流発生装置を囲う囲部材をさらに有し、前記囲部材は、前記気流発生装置側から前記冷却対象物に向けて気流を排出するための排出孔が形成されていて、前記気流発生装置から前記冷却対象物へと気流を案内する案内部の少なくとも一部として用いられている請求項１又は２記載の冷却装置である。
【００１３】
請求項４に係る本発明は、
画像形成装置本体の一部をなす壁部と、
前記壁部を外側から覆う外装部材と、
画像を形成する画像形成部と、
前記壁部の内側に配置されていて、前記画像形成部が形成した画像を少なくとも熱を用いて記録媒体に定着する定着装置と、
少なくとも前記定着装置を冷却するための気流を発生させる気流発生装置と、
電装部品が装着された基板と、
を有し、
前記気流発生装置は、前記壁部の内側の面に装着されており、
前記壁部は前記気流発生装置が装着された部位が閉塞されており、
前記基板は、少なくとも一部が、前記外装部材と前記壁部との間であって、前記壁部に対して前記気流発生装置に対向する部位の外側の面に装着されており、
外側から、前記外装部材、前記基板、前記壁部、前記気流発生装置、前記定着装置の順に配置されている画像形成装置である。
【発明の効果】
【００１４】
請求項１に係る本発明によれば、壁部の外側に気流発生装置を装着する技術と比較して、冷却装置内の空間を有効に活用することができる。また、基板が壁部の内側の面に装着されている技術と比較して、気流発生装置が発する熱を基板に伝えにくくすることができる。
【００１５】
請求項２に係る本発明によれば、他の部材に駆動を伝達するための装置とは別に、冷却のための気流を発生させる装置を有する技術と比較して、冷却装置を構成する部品点数を減少させることができる。
【００１６】
請求項３に係る本発明によれば、囲部材を案内部材の全部分として用いた場合は、囲部材とは別の案内部材をなくすことができ、囲部材を案内部材に一部として用いる場合は、囲部材を案内部材として用いない技術と比較して、案内部材を小さくすることができる。
【００１９】
請求項４に記載されている本発明によれば、壁部の外側に気流発生装置を装着する技術と比較して、画像形成送致装置内の空間を有効に活用することができる。また、基板が壁部の内側の面に装着されている技術と比較して、気流発生装置が発する熱を基板に伝えにくくすることができる。
【図面の簡単な説明】
【００２０】
【図１】本発明の実施形態で用いられる画像形成装置の外観を示す図である。
【図２】図１に示す画像形成装置を、図１に示す面Ａで破断した断面を模式的に示す図である。
【図３】図１に示す画像形成装置を、図２に示すＢ−Ｂ面で破断した断面を模式的に示す図である。
【図４】図１に示す画像形成装置を、図２に示す矢印Ｃ−Ｃ方向から模式的に示す図である。
【図５】図１に示す画像形成装置を、図２に示すＤ−Ｄ面で破断した断面を模式的に示す図である。
【図６】図１に示す画像形成装置を、図２に示すＥ−Ｅ面で破断した断面を模式的に示す図である。
【図７】図１に示す画像形成装置が有する気流発生装置の構成を示す図である。
【図８】図７に示す気流発生装置内に生じる気流を説明する図である。
【図９】図７に示す気流発生装置を囲う囲部の構成を示す第１の図である。
【図１０】図７に示す気流発生装置を囲う囲部の構成を示す第２の図である。
【図１１】図９及び図１０に示す囲部を、図９に示すＦ−Ｆ面で破断した断面を模式的に示す図である。
【図１２】図１に示す画像形成装置内に生じる主たる気流を説明する第１の図である。
【図１３】図１に示す画像形成装置内に生じる主たる気流を説明する第２の図である。
【発明を実施するための形態】
【００２１】
次に、本発明を実施するための形態を、図面を参照して説明する。図１には、本発明の実施形態で用いられる画像形成装置１０が示されている。画像形成装置１０は、特許請求の範囲に記載の画像形成装置の一例であり、特許請求の範囲に記載の冷却装置の一例である。
【００２２】
図１に示すように、画像形成装置１０は、装置本体１２を有し、装置本体１２は外装部２０を有する。外装部２０は、後述する本体フレーム３１０（例えば、図２を参照）を外側から覆う部材である。
【００２３】
外装部２０の前側の面には、第１開閉部３０が取り付けられている。第１開閉部３０は、矢印ａで示すように外装部２０に対して開閉する。また、外装部２０の前側の面における第１開閉部３０よりも下側には、第２開閉部４０が取り付けられている。第２開閉部４０は、矢印ｂで示すように外装部２０に対して開閉する。
【００２４】
第２開閉部４０は、所謂手差トレイであり、外装部２０に対して開いた状態において上向きとなる面に画像が形成される用紙が載せられる。
【００２５】
また、外装部２０の前側の面であって、第２開閉部４０よりも下側には、引出部５０が装着されている。引出部５０は、矢印ｃで示すように、外装部２０に対して前側に引き出すことができ、引出した状態から後側へと移動させることで、外装部２０内に収納可能となっている。
【００２６】
また、外装部２０の右側面には、第３開閉部６０が装着されている。第３開閉部６０は、矢印ｄで示すように外装部２０に対して開閉する。
【００２７】
また、外装部２０の上側の面には、画像が形成された用紙が排出される排出部２２が形成されている。ここで、用紙は、特許請求の範囲に記載の記録媒体の一例である。
【００２８】
外装部２０、第１開閉部３０、第２開閉部４０、引出部５０及び第３開閉部６０は、例えば樹脂により形成されている。
【００２９】
図２には、画像形成装置１０を、図１に示す面Ａで破断した断面が模式的に示されている。図２においては、図示の便宜上、後述する画像形成部１００、転写装置１３０等の図示を省略している。
【００３０】
図２に示すように、第１開閉部３０は、連結手段として用いられているヒンジ部３２、３２によって、外装部２０に対して開閉できるように外装部２０に連結されている。また、第２開閉部４０は、連結手段として用いられているヒンジ部４２、４２（図３を参照、左右にそれぞれそ配置されたヒンジ部４２のうちの右側に位置するヒンジ部４２のみが図３に示されている）によって、外装部２０に対して開閉することができるように外装部２０に連結されている。
【００３１】
また、図２に示すように、第３開閉部６０は、連結手段として用いられているヒンジ部６２、６２によって、外装部２０に対して開閉できるように外装部２０に連結されている。
【００３２】
また、図２に示すように、外装部２０の内側には、定着装置４５０が配置されている。定着装置４５０は、冷却対象物の一例である。また、定着装置４５０は、後述する本体フレーム３１０の内側に配置されている。ここで、本体フレーム３１０の内側とは、本体フレーム３１０に対して、外装部２０で囲われる空間の中心に近い側をいう。定着装置４５０の詳細は後述する。
【００３３】
また、図２に示すように、外装部２０の内側には、トナー収納容器４１０Ｙ、４１０Ｍ、４１０Ｃ、４１０Ｋが配置されている。トナー収納容器４１０Ｙはイエローのトナーを収納していて、トナー収納容器４１０Ｍはマゼンタのトナーを収納していて、トナー収納容器４１０Ｃはシアンのトナーを収納していて、トナー収納容器４１０Ｋは黒のトナーを収納している。
【００３４】
以下の説明において、トナー収納容器４１０Ｙ、４１０Ｍ、４１０Ｃ、４１０Ｋの区別を要しない場合は、これらをトナー収納容器４１０と総称する。トナー収納容器４１０は、第１開閉部３０を開くことにより外装部２０に形成される開口部を介して、外装部２０内から取り外すことができ、外装部２０内へと装着することができるようになっている。換言すると、第１開閉部３０は、トナー収納容器４１０を外装部２０内から取り外し、トナー収納容器４１０を外装部２０内に装着するために開閉される開閉部である。
【００３５】
また、図２に示すように、外装部２０内には、廃トナー回収容器４２０が配置されている。廃トナー回収容器４２０は、後述する感光体ドラム１１２Ｙ、Ｍ、Ｃ、Ｋから除去されたトナーと、後述する中間転写ベルト１３２から除去されたトナーとを回収する。廃トナー回収容器４２０は、第３開閉部６０を開くことにより外装部２０に形成される開口部を介して、外装部２０内から取り外すことができ、外装部２０内へと装着することができるようになっている。換言すると、第３開閉部６０は、廃トナー回収容器４２０を外装部２０内から取り外し、廃トナー回収容器４２０を外装部２０内に装着するために開閉される開閉部である。
【００３６】
また、図２に示すように、外装部２０内には本体フレーム３１０が配置されている。本体フレーム３１０と、外装部２０、第１開閉部３０、第２開閉部４０、引出部５０の前側に位置する板状部５０ａ（図１を参照）及び第３開閉部６０とにより先述の装置本体１２が構成されている。ここで、装置本体１２は、冷却装置本体の一例であり、画像形成装置本体の一例である。尚、図示の便宜上、図２及びその他の図においては、画像形成装置１０が有する全ての本体フレーム３１０のうちの一部分のみを図示している。
【００３７】
本体フレーム３１０は、壁部の一例として用いられて、上述のように装置本体１２の一部を形成している。また、外装部２０は、本体フレーム３１０を外側から覆っている。ここで、ここで、外側とは、本体フレーム３１０に対して、外装部２０で囲われる空間の中心と逆側をいう。本体フレーム３１０は、例えば金属製であり、例えば、板金を用いることができる。
【００３８】
本体フレーム３１０の外側の面３１０ａには、例えば複数の基板６５０が装着されている。ここで、本体フレーム３１０の外側の面３１０ａとは、本体フレーム３１０の外装部２０に対向する面をいう。基板６５０には、例えば、コイル等の電装部品６５２（図２において不図示、図５を参照）が装着されている。
【００３９】
また、本体フレーム３１０の外側の面３１０ａには、第１モータ６６２と、第２モータ６６４と、第３モータ６６６とが装着されている。ここで、本体フレーム３１０の内側の面３１０ｂとは、本体フレーム３１０の外装部２０に対向する面と逆側の面をいう。第１モータ６６２、第２モータ６６４及び第３モータ６６６の詳細は後述する。
【００４０】
また、図２に示すように、外装部２０内には、第１ファン装置６１０と、第２ファン装置６２０と、第３ファン装置６３０と、第４ファン装置７００とが配置されている。第１ファン装置６１０は、外装部２０内における前側に配置されていて、外装部２０の前側の面側から空気を吸い込むように気流を発生させる。より具体的には、第１開閉部３０と第２開閉部４０との間に形成されている隙間７０（図３を参照）を介し、外装部２０の外側から外装部２０の内側へと空気を吸い込むように気流を発生させる。
【００４１】
第２ファン装置６２０は、外装部２０内における左側面近傍に配置されている。より具体的には、第２ファン装置６２０は、本体フレーム３１０の外側の面３１０ａに装着されている。第２ファン装置６２０は、外装部２０の左側面側から空気を吸い込むように気流を発生させる。尚、外装部２０の左側面には、空気が通過する隙間（不図示）が形成されている。
【００４２】
第３ファン装置６３０は、外装部２０内における後側であって、外装部２０内における右側に配置されている。第３ファン装置６３０は、外装部２０の外側へと空気を排出するように気流を発生させる。より具体的には、外装部２０の上側の面に形成された隙間２４（図１を参照）を介して、外装部２０内から外装部２０外へと空気を排出させるように気流を発生させる。
【００４３】
第４ファン装置７００は、冷却のための気流を発生させる気流発生装置の一例である。第４ファン装置７００は、本体フレーム３１０の内側の面３１０ｂに装着されている。尚、第４ファン装置７００の詳細は後述する。
【００４４】
一般に、本体フレームの外側の面３１０ａ側には、定着装置４５０、後述する画像形成部１００、後述する中間転写ベルト１３２等を駆動するためのクラッチ装置、歯車部材等の駆動伝達機構や、電装部品６５２を備えた基板６５０等の基板や、第１モータ６６２、第２モータ６６４、第３モータ６６６等の駆動源が装着されることが多い。
【００４５】
上述のように、基板６５０等を本体フレーム３１０の外側の面３１０ａに装着することが多い理由は、基板６５０等を本体フレーム３１０の内側の面３１０ｂに装着した場合と比較して、基板６５０等の交換や修理が容易であるためである。すなわち、本体フレーム３１０の内側の面３１０ｂに基板６５０等を装着した場合は、基板６５０等を交換したり、修理したりする際に、本体フレーム３１０を取り外すことを要するものの、本体フレーム３１０の内側の面３１０ａに基板６５０等を装着すれば、本体フレーム３１０を取り外さなくても、外装部２０を取り外せば、基板６５０等の修理や交換が可能であるためである。
【００４６】
上述のように、本体フレーム３１０の外側の面３１０ａには、基板６５０等が装着されることが多いため、本体フレーム３１０の外側の面３１０ａには、例えば、第４ファン装置７００等のファン装置を装着する十分な空間を確保できない虞がある。これに対して、この実施形態では、第４ファン装置７００を本体フレーム３１０の内側の面３１０ｂに装着することで、本体フレーム３１０の内側の面側の空間を有効に活用し、外装部２０内における第４ファン装置７００を配置する空間を確保している。
【００４７】
上述のように、第４ファン装置７００を本体フレーム３１０の内側の面３１０ｂに装着すると、外装部２０内に第４ファン装置７００を配置するための空間を確保しやすいものの、熱を発する装置である定着装置４５０と第４ファン装置７００とが接近した状態となりやすい。このため、第４ファン装置７００を本体フレーム３１０の内側の面３１０ｂに装着した場合、第４ファン装置７００が、定着装置４５０が発する熱の影響を受けやすくなる虞がある。
【００４８】
このため、この実施形態では、図２に示すように、囲部７７０を設け、定着装置４５０が放射する熱を遮るように囲部７７０で第４ファン装置７００を囲っている。囲部７７０の詳細は後述する。
【００４９】
図３は、画像形成装置１０を、図２に示すＢ−Ｂ面で破断した断面を模式的に示す図である。図３に示すように、先述の定着装置４５０は、例えばハロゲンランプ等の熱源を有する加熱ロール４５２と、用紙を加熱ロール４５２に対して押し付ける押付部材４５４とを有する。
【００５０】
また、図３に示すように、外装部２０内には、画像形成部１００が配置されている。画像形成部１００は、電子写真方式が採用されていて、用紙に画像を形成する。画像形成部１００は、例えば、４つの像形成ユニット１１０Ｙ、１１０Ｍ、１１０Ｃ、１１０Ｋを有する。像形成ユニット１１０Ｙはイエローのトナー像を形成し、像形成ユニット１１０Ｍはマゼンタの像を形成し、像形成ユニット１１０Ｃはシアンの像を形成し、像形成ユニット１１０Ｋは黒のトナー像を形成する。
【００５１】
像形成ユニット１１０Ｋは、像保持体として用いられている感光体ドラム１１２Ｋと、感光体ドラム１１２Ｋの表面を帯電する帯電装置１１４Ｋと、感光体ドラム１１２Ｋに潜像を形成する潜像形成装置１１６Ｋと、感光体ドラム１１２Ｋに形成された潜像を現像する現像装置１１８Ｋと、後述する中間転写ベルト１３２に黒のトナー像を転写した後に、感光体ドラム１１２Ｋの表面を清掃する清掃装置１２２Ｋとを有する。
【００５２】
同様に、像形成ユニット１１０Ｙは、感光体ドラム１１２Ｙと、帯電装置１１４Ｙと、潜像形成装置１１６Ｙと、現像装置１１８Ｙと、清掃装置１２２Ｙとを有する。また、同様に、像形成ユニット１１０Ｍは、感光体ドラム１１２Ｍと、帯電装置１１４Ｍと、潜像形成装置１１６Ｍと、現像装置１１８Ｍと、清掃装置１２２Ｍとを有する。また、同様に、像形成ユニット１１０Ｃは、感光体ドラム１１２Ｃと、帯電装置１１４Ｃと、潜像形成装置１１６Ｃと、現像装置１１８Ｃと、清掃装置１２２Ｃとを有する。
【００５３】
外装部２０の内側には、転写装置１３０がさらに配置されている。転写装置１３０は、中間転写体の一例である中間転写ベルト１３２を有する。中間転写ベルト１３２は、複数のローラ部材に吊架されていて、中間転写ベルト１３２を吊架する複数のローラ部材の一つである駆動ロール１３４から駆動が伝達されることで、図２に示す矢印方向に回転する。
【００５４】
転写装置１３０は、１次転写装置１３６Ｙ、１３６Ｍ、１３６Ｃ、１３６Ｋをさらに有する。１次転写装置１３６Ｙは、感光体ドラム１１２Ｙの表面に形成されたイエローのトナー像を中間転写ベルト１３２に転写し、１次転写装置１３６Ｍは、感光体ドラム１１２Ｍの表面に形成されたマゼンタのトナー像を中間転写ベルト１３２に転写し、１次転写装置１３６Ｃは、感光体ドラム１１２Ｃの表面に形成されたシアンのトナー像を中間転写ベルト１３２に転写し、１次転写装置１３６Ｋは、感光体ドラム１１２Ｋの表面に形成された黒のトナー像を中間転写ベルト１３２に転写する。
【００５５】
転写装置１３０は、２次転写装置１３８をさらに有する。２次転写装置１３８は、中間転写ベルト１３２に転写されたトナー像を用紙へとさらに転写する。
【００５６】
転写装置１３０は、中間転写ベルト１３２の表面を清掃し、中間転写ベルト１３２の表面に残留したトナー等を中間転写ベルト１３２の表面から除去する清掃装置１４２をさらに有する。
【００５７】
外装部２０内には、給紙装置５００がさらに配置されている。給紙装置５００は、用紙を収納する用紙収納部５０２を有する。用紙収納部５０２は、引出部５０に装着されていて、引出部５０と一体として外装部２０から引き出すことができ、引出部５０と一体として外装部２０に装着することができる。
【００５８】
給紙装置５００は、主送出ロール５０４をさらに有する。主送出ロール５０４は、用紙収納部５０２に収納された用紙を２次転写装置１３８側へと向けて送り出す。
【００５９】
給紙装置５００は、補助送出ロール５０６をさらに有する。補助送出ロール５０６は、外装部２０に対して第２開閉部４０が開かれた状態において、第２開閉部４０の上側に置かれた用紙を後述するレジストロール５３６に向けて送り出す。
【００６０】
外装部２０内には、用紙を搬送する搬送路５３０が形成されていて、搬送路５３０は、主搬送路５３２と、補助搬送路５３４とを有する。主搬送路５３２は、用紙収納部５０２から排出部２２へと向けて用紙を搬送するために用いられている。主搬送路５３２に沿って、用紙搬送方向における上流側から順に、先述の主送出ロール５０４と、搬送ロール５４０と、レジストロール５３６と、先述の２次転写装置１３８と、先述の定着装置４５０と、排出ロール５３８とが配置されている。
【００６１】
搬送ロール５４０は、用紙をレジストロール５３６に向けて搬送する。
【００６２】
レジストロール５３６は、用紙の斜行を修正し、斜行を修正した用紙を２次転写装置１３８へ予め定められたタイミングで送り出す。
【００６３】
排出ロール５３８は、定着装置４５０によってトナー像が定着された用紙を排出部２２へと排出する。
【００６４】
補助搬送路５３４は、補助送出ロール５０６からレジストロール５３６へと用紙を搬送するために用いられる。
【００６５】
図４は、第３開閉部６０を外装部２０から取り外した状態における画像形成装置１０を、図２に示す矢印Ｃ−Ｃ方向から模式的に示す図である。先述のように、廃トナー回収容器４２０は、第３開閉部６０を開くことにより外装部２０に形成される開口部を介して、外装部２０内から取り外すことができ、外装部２０内へと装着することができるようになっている。
【００６６】
図５は、画像形成装置１０を、図２に示すＤ−Ｄ面で破断した断面を模式的に示す図である。図５に示すように、本体フレーム３１０の外側の面３１０ａには、第３ファン装置６２０と、基板６５０と、第１モータ６６２と、第２モータ６６４と、第３モータ６６６とが先述のように装着されている。
【００６７】
ここで、第１モータ６６２は、例えばギア等を有する駆動伝達機構（不図示）を介して、感光体ドラム１１２Ｙ、１１２Ｍ、１１２Ｃに連結されていて、感光体ドラム１１２Ｙ、１１２Ｍ、１１２Ｃを駆動させる。また、第２モータ６６４は、例えばギア等を有する駆動伝達機構（不図示）を介して、現像装置１１８Ｙ、１１８Ｍ、１１８Ｃに連結されていて、現像装置１１８Ｙ、１１８Ｍ、１１８Ｃを駆動させる。また、第３モータ６６６は、例えばギア等を有する駆動伝達機構（不図示）を介して現像装置１１８Ｋに連結されていて、現像装置１１８Ｋを駆動させる。
【００６８】
図６は、画像形成装置１０を、図２に示すＥ−Ｅ面で破断した断面を模式的に示す図である。図６に示すように、本体フレーム３１０の内側の面３１０ｂには、第４ファン装置７００と囲部７７０とが、先述のように装着されている。また、図６に示すように、本体フレーム３１０の内側の面３１０ａには、後述する駆動伝達機構８１０（図１１を参照）を収納する収納体７９０が装着されている。収納体７９０の詳細は後述する。
【００６９】
図７には、第４ファン装置７００が示されている。図７に示すように、第４ファン装置７００は、回転軸７０２を有する。回転軸７０２は、他の部材に駆動を伝達するために回転する回転体の一例である。回転軸７０２が駆動を伝える他の部材としては、例えば、定着装置４５０、現像装置１１８Ｋ、駆動ロール１３４等を挙げることができる（図１１を参照）。回転軸７０２は、軸受７０４、７０４を用いてモータハウジング７０６に回転することができるように装着されている。
【００７０】
第４ファン装置７００は、鉄芯部材７１０と、巻線部７１２とをさらに有する。鉄芯部材７１０は、所謂ステータでありモータハウジング７０６に固定されている。巻線部７１２は、所謂コイルであり、鉄芯部材７１０に巻かれた導電性の細線からなる。
【００７１】
第４ファン装置７００は、ロータ部材７１６をさらに有する。ロータ部材７１６は、回転軸７０２に固定されていて、回転軸７０２と一体として回転する、ロータ部材７１６の鉄芯部材７１０及び巻線部７１２に対向する位置には、磁石部材７１８が装着されている。また、ロータ部材７１６の後述するファン部材７３０と対向する位置には、気流を通過させるための通気孔７１６ａが形成されている。通気孔７１６ａは、例えば複数が、例えば回転軸７０２を中心に放射状に配置されている。
【００７２】
上述の鉄芯部材７１０と、上述の巻線部７１２と、上述の磁石部材７１８とで、回転軸７０２を回転させるための磁界を発生させる磁界発生部７２４を構成している。
【００７３】
第４ファン装置７００は、ファン部材７３０をさらに有する。ファン部材７３０は、気流発生体の一例であり、回転により気流を発生させ、発生させた気流により少なくとも磁界発生部７２４を冷却する。また、ファン部材７３０には、気流を通過させるための通気孔７３０ａが形成されている。通気孔７３０ａは、例えば複数が、例えば回転軸７０２を中心に放射状に配置されている。また、ファン部材７３０は、気流を発生させる羽根部７３０ｂを有する。羽根部７３０ｂは、例えば複数が、例えば回転軸７０２を中心に放射状に配置されている。
【００７４】
図７に示すように、第４ファン装置７００は、モータハウジング７０６が固定される基板７０８をさらに有する。
【００７５】
図８には、第４ファン装置７００内における空気の流れが説明されている。図８に矢印で示すように、ファン部材７３０が回転することで、羽根部７３０ｂが気流を発生させると、通気孔７３０ａと通気孔７１６ａとを通過するようにしてロータ部材７１６の内側の空間へと空気が流れ込む。そして、ロータ部材７１６の内側に流れ込んだ空気は、磁石部材７１８と鉄芯部材７１０との間を通過し、さらには、ロータ部材７１６及び磁石部材７１８と基板７０８との間と通過するようにしてロータ部材７１６の内側の空間から排出される。
【００７６】
以上で説明をした第４ファン装置７００は、例えば、定着装置４５０等の他の部材に駆動を伝達する装置であり、後述するように定着装置４５０を冷却するための気流を発生させる装置でもある。このため、この実施形態においては、定着装置４５０等の他の部材に駆動を伝達する装置とは別に、定着装置４５０を冷却する気流を発生させる装置を有するように画像形成装置１０を構成する場合と比較して、画像形成装置１０の部品点数を減少させることができる。
【００７７】
図９は、囲部７７０と収納体７９０とが示されている。図９に示すように、囲部７７０は、側壁部７７２と蓋部７７４とを有する。側壁部７７２は、第４ファン装置７００の側面の一部を、側面側から覆っている。また、蓋部７７４は、側壁部７７２に蓋をするように側壁部７７２に装着される部材であり、例えば複数の吸気孔７７４ａが形成されている。また、囲部７７０には、蓋部７７４を側壁部７７２に装着した状態において、定着装置４５０に向けて気流を排出するための排出孔７７６が形成される。
【００７８】
また、図９に示すように、収納体７９０は、側壁部７９２を有する。側壁部７９２は、側壁部７７２の第４ファン装置７００を覆っていない部分を塞ぐようにして、第４ファン装置７００の側面側の一部分を覆っている。
【００７９】
図１０は、収納体７９０と、蓋部７７４を取り外した囲部７７０とを示している。
【００８０】
以上で説明をしたように、囲部７７０は、第４ファン装置７００を囲っているため、定着装置４５０が放射する熱を遮ることができ、定着装置４５０が放射する熱が第４ファン部材に与える影響を小さくすることができる。また、囲部７７０と収納体７９０とは、第４ファン装置７００が発生させた気流を、排出孔７７６から排出させ、定着装置４５０へと案内する案内部として機能を有している。
【００８１】
すなわち、囲部７７０は、第４ファン装置７００から定着装置４５０へと気流を案内する案内部の一部として用いられている。このため、本実施形態では、定着装置４５０からの熱の放射を遮るための囲部７７０とは別に、第４ファン装置から定着装置４５０へと気流を案内する案内部を有する技術と比較して、部品点数を少なくすることができる。
【００８２】
図１１は、囲部７７０及び収納体７９０を、図９に示す面Ｆ−Ｆ面で破断した断面を模式的示す図である。第４ファン装置７００は、先述のように囲部７７０と、収納体７９０とによって囲われている。また、第４ファン装置７００の回転軸７０２は、例えば歯車、クラッチ装置等を有する駆動伝達機構７５０を介して定着装置４５０、現像装置１１８Ｋ、駆動ロール１３４に連結されていて、定着装置４５０、現像装置１１８Ｋ、駆動ロール１３４に駆動を伝達する。
【００８３】
また、収納体７９０には、例えば歯車やクラッチ等を有し、モータ８１２から排出ロール５３８に駆動を伝達する駆動伝達機構８１０が収納されている。
【００８４】
図１２及び図１３には、画像形成装置１０内における空気の流れが説明されている。図１２及び図１３に示すように、第１ファン装置６１０と第２ファン装置６２０とが、外装部２０内に空気が流れ込むように気流を発生させる。また、第４ファン装置７００が、画像形成装置１０の前側から後側へと向かう気流を中間転写ベルト１３２の上側の位置に発生させる。
【００８５】
また、第４ファン装置７００は、定着装置４５０に向かう気流を発生させる。また、第３ファン装置は、左側から右側へと向かう気流を定着装置４５０の上側の位置に発生させるとともに、外装部２０の外側へと空気を排出する気流を発生させる。
【符号の説明】
【００８６】
１０・・・画像形成装置
２０・・・外装部
１００・・・画像形成部
３１０・・・本体フレーム
３１０ａ・・・外側の面
３１０ｂ・・・内側の面
４５０・・・定着装置
６５０・・・基板
６５２・・・電装部品
７００・・・第４ファン装置
７０２・・・回転軸
７２４・・・磁界発生部
７３０・・・ファン部材
７７０・・・囲部
７７６・・・排出孔
【図１】
0006988095.tif 000002
【図２】
0006988095.tif 000003
【図３】
0006988095.tif 000004
【図４】
0006988095.tif 000005
【図５】
0006988095.tif 000006
【図６】
0006988095.tif 000007
【図７】
0006988095.tif 000008
【図８】
0006988095.tif 000009
【図９】
0006988095.tif 000010
【図１０】
0006988095.tif 000011
【図１１】
0006988095.tif 000012
【図１２】
0006988095.tif 000013
【図１３】
0006988095.tif 000014